(57)【要約】  湾曲したメインランナー、およびメインランナーの間に延びるまっすぐなクロスランナーからなる金属製グリッドと、グリッドに支持された複数のパネルとを備える非平面的な吊り下げパネルシステムであって、パネルの各々が、四辺形プロファイルを有する平坦な主要面を有し、パネルの縁部が一対のメインランナーと一対のクロスランナーとに整列され、各パネルが、パネルの平坦な面の平面を、関連するクロスランナーとメインランナーとの交点の間のメインランナーの平面のコード線にほぼ平行に配置するように、パネルの平坦な面とランナーとの間に延びるパネルの縁部にフランジを有し、これによって、パネルシステムが３次元表面にわたって延び、表面が、前記パネルの１つによって各々形成された多数の小面からなる非平面的な吊り下げパネルシステム。
2012505986.tif 000002
【特許請求の範囲】
【請求項１】
湾曲したメインランナー、および前記メインランナーの間に延びるまっすぐなクロスランナーからなる金属製グリッドと、前記グリッドに支持された複数のパネルとを備える非平面的な吊り下げパネルシステムであって、前記パネルの各々が、四辺形プロファイルを有する平坦な主要面を有し、パネルの縁部が一対のメインランナーと一対のクロスランナーとに整列され、各パネルが、前記パネルの平坦な面の平面を、前記関連するクロスランナーとメインランナーとの交点の間の前記メインランナーの平面のコード線にほぼ平行に配置するように、前記パネルの平坦な面と前記ランナーとの間に延びる前記パネルの縁部にフランジを有し、これによって、前記パネルシステムが３次元表面にわたって延び、前記表面が、前記パネルの１つによって各々形成された多数の小面からなる非平面的な吊り下げパネルシステム。
【請求項２】
前記パネルの各々が、前記平坦な面の前記平面にほぼ垂直に延びるフランジを含む請求項１に記載の吊り下げパネルシステム。
【請求項３】
前記パネルが、関連するメインティーの湾曲に一致する形状を有する、前記平坦な面から遠位にある縁部を有するフランジを含む請求項２に記載の吊り下げパネルシステム。
【請求項４】
前記パネルが、前記パネルを前記グリッドに向かって付勢する弾性バネによって前記グリッドに取り付けられる請求項１に記載の吊り下げパネルシステム。
【請求項５】
前記パネルがシートメタルからなる請求項１に記載の吊り下げパネルシステム。
【請求項６】
前記シートメタルがアルミニウムである請求項５に記載の吊り下げパネルシステム。
【発明の詳細な説明】
【技術分野】
【０００１】
本発明は、天井および壁建造物、特に、湾曲した支持グリッドに吊り下げられた平面的な面のパネルの独自のアセンブリに関する。
【背景技術】
【０００２】
建築家、ビルの所有者、および開発者は、従来の平坦な平面の天井および壁構造体とは異なる独自の構造体を作り出すことに励んでいる。設計者は、これらの固定構造体の拡張した壁または天井または組み合わせにおいて、特有の異例のまたは劇的な外観を得ようと試みている。これらの努力は、通常、材料および／またはその製造およびその設置におけるコストの増加によって妨げられる。グリッドティーは、一般に、天井にタイルを吊り下げるために使用される。このようなグリッドティー技術の公知の適合方法は、メインティーを凸状または凹状に湾曲させて、非平面的な天井を製造することである。典型的には、これらの天井建造物において、湾曲したメインティーは、それらの曲率半径に一致する非平面的なパネルまたは可撓性シートと組み合わされる。知る限りにおいて、このタイプの建造物を使用することは、湾曲したメインティーの平行な平面に対応する単一の平面の湾曲部に限定される。
【発明の概要】
【課題を解決するための手段】
【０００３】
本発明は、独自および特有の小面外観を有する丸天井、ドーム、頭上のバレイ、非平面的な壁および同様の拡張部を形成するために、天井および壁用の建造物、ならびにこれらの構造要素の組み合わせを提供する。さらに、本発明は、単一の平面湾曲部にも、対称的な拡張部にも限定されない。
【０００４】
本発明は、湾曲したメインティーおよびまっすぐなクロスティーを利用して、完成した小面天井、壁または組み合わせ構造体の拡張部に対応する３次元形状を有する開いたネットワークを形成する。拡張部の小面の面は、メインティーとクロスティーとの間の個々の空間をブリッジする平坦な四辺形パネルからなる。パネルの縁部に沿った内曲がりのフランジは、パネルを強化するのに役立ち、フランジのそれぞれのパネルとグリッドまたはネットワークとを安定した形態で離間するためのスタンドオフとして機能する。メインティーの湾曲部に一致するように、フランジを選択的にそれらの自由縁部に形成することができる。パネルは、ねじりバネによってティーに取り外し可能に取り付けられ、その結果、設置の完了時に、グリッドが隠され、アクセス状態にある間に固定具の自由パネルの面をパネルの背面に利用することができる。
【０００５】
本発明は、天井、壁およびそれらの一体部のための独自の外観を提供し、比較的安い製造コストおよび設置コストで実現される。
【図面の簡単な説明】
【０００６】
【図１】本発明に従って構成された、下から見たときの凸状の天井領域の部分斜視図である。
【図２】上から見たときの図１の天井の部分斜視図である。
【図３】図１の天井の部分平面図である。
【図４】パネルに関連する典型的なねじりバネの正面図である。
【図５】下から見たときの凹状の天井領域の部分斜視図である。
【図６】２つの平面で凹状または凸状である天井、壁、または組み合わされた天井および壁の概略背面図である。
【図７】凹状構造の変形例の建造物の部分側面図である。
【図８】凸状構造の変形例の部分側面図である。
【図９】本発明の平坦なパネルに関連するねじりバネを収容するためのスロットを有するクロスティーの部分平面図である。
【発明を実施するための形態】
【０００７】
次に、図面を参照すると、図１は、観察者が下から見た状態で凸状である天井構造体への本発明の適用を示している。構造体１０はメインランナー１１とクロスランナー１２とパネル１３とを含む。このおよび他の開示した実施形態において、ランナー１１、１２は、逆Ｔ字形の断面形状を有し、したがって、当該技術分野で通常ティーと呼ばれる。さらに、ランナーが、Ｕ字形、Ｉ字形、またはＣ字形などの他の断面形状を有することができることが理解されるであろう。本明細書に開示した種々の実施形態において、メインランナーまたはメインティーは、比較的長く、例えば１０フィートの長さであってもよく、さらには、それよりも短い長さ、例えば４フィートの長さであるか、またはメートル法換算値であってもよい。クロスティーは、メインティーよりもかなり短く、例えば、２フィートまたは４フィートの長さであってもよい。しかし、本発明がこれらの寸法に限定されないことが理解されるであろう。
【０００８】
ティー１１、１２には、当該技術分野で公知のそれぞれの端部コネクタが備えられ、これらの端部コネクタは、端部同士をティーで接合することができるように、同一の端部コネクタとスナップ係合することができる。米国特許第６，７２９，１００号明細書および米国特許第５，７６１，８６８号明細書は、メインティーおよびクロスティーのためにそれぞれ使用することができるコネクタの例である。クロスティーコネクタ１６は、典型的に、クロスティー１２の所望の位置において、メインティー１１のウェブまたは垂直要素に形成されたスロット１７に共に接合される。本明細書に開示した種々の実施形態は、端部同士を整列させたクロスティー１２を示しているが、本発明は、隣接する対のメインティーの間のクロスティーが、端部同士を整列させないように千鳥状である構成に適用可能であることが考えられる。適切なスロット１７は、このようなクロスティーのコネクタ１６を収容するために設けることができる。
【０００９】
図１の実施形態のメインティー１１は同一であり、それぞれの垂直面で湾曲しており、互いに平行である。クロスティー１２は、等しい長さであり、まっすぐであり、そしてメインティー１１のウェブのスロット１７を介して互いに結合されたコネクタによって、整列された（すなわちこの場合千鳥状でない）隣接するクロスティーに接合された端部を有する。メインティースロット１７は、クロスティーが平行になるように配置される。好ましくは、メインティー１１およびクロスティー１２の各々は、中央ウェブ１９の反対側に延びるフランジ１８を有する。フランジ１８は、空間に最も近接するウェブ１９の縁部にあり、このため、構造体１０は境界または装飾面を形成する。メインティー１１およびクロスティー１２のフランジ１８は、典型的に、交差する場所で互いにほぼ面一であり得る。
【００１０】
パネル１３は、好ましくは、アルミニウムなどのシートメタルからなり、本用途に適切なゲージであり、典型的なゲージは０．０３２インチまたはメートル法換算値であり得る。パネル１３は、平坦または平面的な面２１と、その縁部に沿って延びる周辺フランジ２２、２３とを有する。図１の実施形態において、面２１は長方形状の四辺形である。対向する一対のフランジ２２は、メインティー１１に整列され、円弧状の縁部２４を有し、この縁部は、ほぼパネルフランジ２２の全長に沿ったメインティーフランジに当接することができるように、メインティーフランジ１８の円弧にほぼ一致する。反対側の他の対のフランジ２３は、円弧状の縁部２７がメインティーに接触して着座されるときにクロスティーフランジ１８に載置するように調和される。
【００１１】
パネル１３は、メインランナー１１およびクロスランナー１２によって形成されたグリッドに、ねじりバネ２６で取り外し可能に保持される。図示した実施例において、各パネルには４つのねじりバネ２６が配置される。ねじりバネ２６は、クロスティー１２に関連するフランジ２３において、互いに離間して対をなして構成される。各バネ２６は、パネル周辺の内側に面するフランジの側面に固定された金属製ブラケット２７によってフランジ２３に保持される。各ねじりバネ２６に対応する位置にあるクロスティーフランジ１８には、一対の細長いスロット２８が形成される。スロット２８は、ねじりバネ２６のコイルの巻きから延びる拡張バネタング２９の幾何学的形状を収容するために、クロスティーの長手方向および横方向に千鳥状であるかまたはオフセットされる。ねじりバネ２６の自由状態において、バネがクロスティーに対して所定位置にパネルをしっかりと保持するように、パネルが、その関連するクロスティーに対して所定位置にあるときに、タング２９は、スロット２８によって許容される角度よりも大きな角度で拡張する。
【００１２】
平面的な面２１の形状は、一般に、それに関連する、グリッドティー１１、１２の幾何学的形状の投影部と一致する。面２１は、隣接する一対のメインティーのウェブの間の距離に近似する距離だけ一方の方向に延び、そして隣接するクロスティーのウェブの間の距離だけ他方の方向に延びる。ブラケット２７およびバネ２６は、バネがそれらのそれぞれのスロットに留まっている間に、パネルが移動してその設置位置との平行から外れることを許容する程度に、バネの制限された全体動作を提供する。クロスティー１２に関連する各フランジ２３は、面２１の平面と鋭角をなすので、その面は、メインティーの同じセットにおいて隣接パネル１３のフランジ２３との干渉を回避する。メインティー１１に関連するフランジ２２は、ほぼ直角に形成されるが、隣接パネル１３との干渉を回避するために、面の平面に対して僅かに鋭角であることが好ましい。
【００１３】
ねじりバネ２６はパネル１３をグリッドの所定位置に取り外し可能に保持する。パネルの第１の縁部にあるバネのタングをグリッドティースロット２８に挿入することによって、パネルの１つの縁部がグリッドに最初に取り付けられることを許容する程度に、タング２９が十分に長く、バネとパネルとの接続部が十分に汎用的である。各バネのタング２９はスロットに嵌合するように共に手で押し込まれる。これらの第１のバネがそれらのそれぞれのスロット２８内にある状態では、タングにより、関連するパネル縁部がグリッドに向かって伸びて引っ張られることが許容されるか否かにかかわらず、パネルの反対側のバネが、対応するクロスティー１２のスロットに挿入される。バネおよび／またはパネルが解放されるとき、バネはそれらのタングを伸ばす傾向があり、一方、タングはスロットに閉じ込められるので、パネル１３がグリッドティーに対して引き上げられる。設置位置において、パネルフランジは、グリッドティー１１と１２の隣接するフランジに当接して載置する。パネルが引っ張られてグリッドに安定して載置することを保証するために、バネ２６がパネルの幾何学的中心の周りにおよびそこから離れて分布される。説明される図１の実施形態および特定の実施形態において、パネルは、単一の平面で湾曲する仮想面に対して接線である。平坦なパネル１３の効果は、この仮想面に対応するであろう連続的に滑らかな表面とは全く異なる特有の多面的な外観にある。
【００１４】
図５は、平面パネル３１のフランジが突出する側面の反対側のパネルの側面で観察される場合に、平面パネル３１が凸状パターンに配置される本発明の第２の実施形態を示している。図１に関連して上述した実施形態と同様に、パネル３１はランナーまたはティーのグリッド３３に支持される。グリッド３３は、比較的長い複数のメインティー３４と、比較的短い複数のクロスティー１２とを備える。メインティー３４は同一であり、単一の平面で湾曲しており、パネル３１の面側が観察されるべき基準点に対して凹状である。クロスティー１２およびそれらのコネクタは、図１の実施形態に関連して説明したクロスティー１２およびそれらのコネクタと同一であり得る。メインティー３４は、公知のように、従来の吊り下げ天井グリッドティーを湾曲させ、それらのフランジ３８に対してそれらの補強バルブ３７を伸ばすことによって形成することができる。上記のように、クロスティー１２は、当該技術分野で公知の適切なコネクタによって端部同士で接合され、それらのコネクタは、メインティー３４のウェブ４０の有利に配置されている長手方向に離間したスロットを介して延びる。クロスティー１２は、メインティー３４の平行整列を維持するのに役立つ。
【００１５】
メインティー３４は、当該技術分野で公知の従来のコネクタによって端部同士で接合される。メインティー３４の接続部収容スロットは、パネルの幾何学的形状に対応する所定位置に配置される。図１の実施形態と同様のパネル３１は、四辺形または長方形のプロファイルを有する平坦または平面的な面４１と、面の平面から後方に延びる周辺フランジ４２、４３とを有する。メインティー３４に整列された一対のフランジ４２は、凹状のメインティーフランジ３８の円弧に一致して接触するように成形された自由縁部４４を有する。他のパネルフランジ４３は、クロスティー１２のフランジに着座するのに十分な幅のまっすぐな縁部を有する。パネル３１は、図１に関連して上述したように、クロスティースロット２８に収容されたねじりバネ２６によって、所定位置に取り外し可能に保持される。パネルフランジ４３の平面とパネル面４１の平面との間の内包角は、９０度よりも僅かに小さくすることができ、この場合、メインティーの円弧は、ねじりバネがスロット２８に整列することを可能にする程度に、大きな半径であるかまたは９０度よりも大きくすることができる。図５に示したパネル３１の構成は、天井、壁、または組み合わされた天井および壁、または天井および壁のセグメントであるか否かにかかわらず、構造体において特有の小面の外観をもたらす。
【００１６】
図６は、同様に、拡張部が複合曲線であり、２つの垂直面で湾曲している壁、天井、またはこれらの構造の組み合わせなどの表面の拡張部への本発明の適用を概略的に示している。図６は、平坦な四辺形パネルを支持するための凸状または凹状のグリッド５０の平面図として理解することができる。メインランナーまたはメインティー５１は１つまたは２つの平面で凸状または凹状に湾曲しているが、いずれの場合にも、隣接するメインランナーの平面とは異なる平面に各々配置される。図６で提案されている１つの構成において、メインティーが、選択された経度に配置され、クロスティーが、選択された緯度に配置されるように、メインティー５１の全てまたは一部を仮想球の表面で支持することができる。このような構成において、所定の緯度のクロスティーは、等しい長さを有するが、隣接する緯度のクロスティーの長さとは異なる。グリッド５０に取り付けられるべきパネルは、メインティー５１とクロスティー５２との交点の間に描かれた直線にほぼ一致するプロファイルを有する。グリッド５０と共に使用されるパネルは、上にあるメインティーおよびクロスティーに接触するように配置された後方に延びるフランジを有する四辺形プロファイルの平坦な平面を有する上記パネルと同じである。
【００１７】
上記のように、ねじりバネを使用して、パネルを上記のようなグリッド５０に取り外し可能に保持することができる。
【００１８】
パネルが少なくとも３つに分布された位置でグリッドティーに安定して着座されることが重要である。このことは、３つの点が、平面を確定し、したがって、パネルとグリッドとの間における安定のための最小限の接触を意味するという事実から明らかになる。
【００１９】
図７および図８は、湾曲したメインティーに関連するパネル縁部が、メインティーのフランジと実質的に接触しないまっすぐな縁部を有する構成を示している。これらの構成において、クロスティーに関連するフランジは、これらのフランジに支持されかつクロスティーで結合された複数のねじりバネによって加えられている保持力によって、フランジのそれぞれのパネルをグリッドに安定して保持するのに十分である。説明してきた種々の実施形態において、パネルの各々は、四辺形プロファイルを有する平坦な主要面を有する。各パネルの周辺フランジは、好ましくは、関連するクロスランナーおよび／またはメインランナーにパネルを支持するように配置されるので、そのパネルは、関連するクロスランナーと、関連するメインランナーとの交点の間に描かれたコード線に平行またはほぼ平行である。
【００２０】
特定の用途では、メインティーの上のパネルフランジにねじりバネを取り付け、これらのメインティーにスロットを設けて、バネタングを収容することによって、パネルをグリッドに保持することが望ましいかまたは必要であり得る。
【００２１】
本発明の特定の実施形態を参照して、本発明について図示および説明してきたが、これは、例示目的に過ぎず、限定的なものではなく、本発明の意図された精神および範囲内に含まれる、本明細書に図示および記載されている具体的な実施形態の他の変形例および修正例が、当業者に明らかであろう。したがって、本特許は、範囲および効果においても、技術の進歩が本発明によって促進される程度において矛盾しない他の任意の方法においても、本明細書に図示および説明した特定の実施形態に限定されるべきではない。
【図１】
2012505986.tif 000003
【図２】
2012505986.tif 000004
【図２Ａ】
2012505986.tif 000005
【図３】
2012505986.tif 000006
【図４】
2012505986.tif 000007
【図５】
2012505986.tif 000008
【図６】
2012505986.tif 000009
【図７】
2012505986.tif 000010
【図８】
2012505986.tif 000011
【図９】
2012505986.tif 000012
【国際調査報告】
2012505986.tif 000013
2012505986.tif 000014
2012505986.tif 000015